(57)【要約】【課題】誤った量の液体を吸入するのを確実に防止することができるプレフィルドシリンジを提供すること。【解決手段】プレフィルドシリンジ１は、先端側に液体が吸入・吐出され得る縮径部２２と、基端外周に形成されたフランジ２７とを有する外筒２と、外筒２内で摺動し得るガスケット３と、ガスケット３の先端側に位置する外筒２とガスケット３とで囲まれる第１の空間９１に収納された薬剤６とを備えている。このプレフィルドシリンジ１では、液体の吸入量を示す吸入量用目盛り１０１と、液体の吐出量を示す吐出量用目盛り１０２とが、外筒２の周方向の異なる位置に設けられている。【選択図】図２
2006025874.tif 000002
【特許請求の範囲】
【請求項１】
先端側に液体が吸入・吐出され得る口部と、基端外周に形成されたフランジとを有する外筒と、前記外筒内で摺動し得るガスケットと、前記ガスケットの先端側に位置する前記外筒と前記ガスケットとで囲まれる空間に収納された薬剤とを備えるプレフィルドシリンジであって、
液体の吸入量を示す吸入量用目盛りと、液体の吐出量を示す吐出量用目盛りとを、前記外筒の周方向の異なる位置に設けたことを特徴とするプレフィルドシリンジ。
【請求項２】
前記吸入量用目盛りが向いている方向と、前記吐出量用目盛りが向いている方向とは、互いにほぼ直角をなしている請求項１に記載のプレフィルドシリンジ。
【請求項３】
前記フランジは、その形状が長尺状をなしており、
前記吸入量用目盛りは、前記フランジの長手方向に面するように設けられている請求項１または２に記載のプレフィルドシリンジ。
【請求項４】
前記吸入量用目盛りと前記吐出量用目盛りとは、互いに異なる色で着色されている請求項１ないし３のいずれかに記載のプレフィルドシリンジ。
【請求項５】
前記吐出量用目盛りの色は、前記ガスケットの色と同じであり、
前記吸入量用目盛りの色は、前記ガスケットの色と異なる請求項４に記載のプレフィルドシリンジ。
【請求項６】
前記ガスケットの色は、黒色であり、
前記吐出量用目盛りの色が黒色であり、前記吸入量用目盛りの色が赤色である請求項５に記載のプレフィルドシリンジ。
【請求項７】
前記ガスケットの基端は、未使用状態で、前記吸入量用目盛りにおける零を示す目盛りに位置している請求項１ないし６のいずれかに記載のプレフィルドシリンジ。
【請求項８】
前記薬剤は、粉末状のものである請求項１ないし７のいずれかに記載のプレフィルドシリンジ。
【発明の詳細な説明】
【技術分野】
【０００１】
本発明は、シリンジ、特に、予め薬剤が収納されたプレフィルドシリンジに関する。
【背景技術】
【０００２】
予め薬剤が収納されたプレフィルドシリンジが知られている。このプレフィルドシリンジは、先端側に縮径した口部を有する外筒と、この外筒の基端開口から外筒内に挿入されたガスケットと、このガスケットに連結された押し子（プランジャロッド）とを備え、外筒とガスケットの先端面とで囲まれる空間に、例えば液状の薬剤が密封状態で収納されている（例えば、特許文献１参照）。
【０００３】
このようなプレフィルドシリンジでは、押し子を基端方向へ引く操作を行ってガスケットを外筒内で基端方向に摺動させ、外筒の先端の口部から輸液等の液体を吸引して導入し、この液体と前記薬剤とを混合して薬液を得た後、押し子を押す操作を行ってガスケットを外筒内で先端方向に摺動させ、口部から薬液の排出を行なう。
【０００４】
液体（薬液）の吸引量と排出量とは、外筒の外周に付された１種類の目盛りに対するガスケットの位置で確認（把握）されている。
【０００５】
しかしながら、このようなプレフィルドシリンジでは、液体を吸引しているときに、吸引する直前のガスケットが目盛りのどこに位置していたのかを忘れてしまう場合ある。このため、誤った量の液体を吸引するおそれがあるという問題があった。
【０００６】
【特許文献１】特開２００４−９７６４０号公報
【発明の開示】
【発明が解決しようとする課題】
【０００７】
本発明の目的は、誤った量の液体を吸入するのを確実に防止することができるプレフィルドシリンジを提供することにある。
【課題を解決するための手段】
【０００８】
このような目的は、下記（１）〜（８）の本発明により達成される。
（１）  先端側に液体が吸入・吐出され得る口部と、基端外周に形成されたフランジとを有する外筒と、前記外筒内で摺動し得るガスケットと、前記ガスケットの先端側に位置する前記外筒と前記ガスケットとで囲まれる空間に収納された薬剤とを備えるプレフィルドシリンジであって、
液体の吸入量を示す吸入量用目盛りと、液体の吐出量を示す吐出量用目盛りとを、前記外筒の周方向の異なる位置に設けたことを特徴とするプレフィルドシリンジ。
【０００９】
（２）  前記吸入量用目盛りが向いている方向と、前記吐出量用目盛りが向いている方向とは、互いにほぼ直角をなしている上記（１）に記載のプレフィルドシリンジ。
【００１０】
（３）  前記フランジは、その形状が長尺状をなしており、
前記吸入量用目盛りは、前記フランジの長手方向に面するように設けられている上記（１）または（２）に記載のプレフィルドシリンジ。
【００１１】
（４）  前記吸入量用目盛りと前記吐出量用目盛りとは、互いに異なる色で着色されている上記（１）ないし（３）のいずれかに記載のプレフィルドシリンジ。
【００１２】
（５）  前記吐出量用目盛りの色は、前記ガスケットの色と同じであり、
前記吸入量用目盛りの色は、前記ガスケットの色と異なる上記（４）に記載のプレフィルドシリンジ。
【００１３】
（６）  前記ガスケットの色は、黒色であり、
前記吐出量用目盛りの色が黒色であり、前記吸入量用目盛りの色が赤色である上記（５）に記載のプレフィルドシリンジ。
【００１４】
（７）  前記ガスケットの基端は、未使用状態で、前記吸入量用目盛りにおける零を示す目盛りに位置している上記（１）ないし（６）のいずれかに記載のプレフィルドシリンジ。
【００１５】
（８）  前記薬剤は、粉末状のものである上記（１）ないし（７）のいずれかに記載のプレフィルドシリンジ。
【発明の効果】
【００１６】
本発明によれば、吸入量用目盛りが形成されていることにより、液体の吸入量を確実に把握することができ、よって、誤った量の液体を吸入するのを確実に防止することができる。
【００１７】
また、正確な吸入量の液体を吸入することができるため、その薬液中の薬剤の濃度を正確な濃度とすることができる。
【発明を実施するための最良の形態】
【００１８】
以下、本発明のプレフィルドシリンジを添付図面に示す好適実施例に基づいて詳細に説明する。
【００１９】
図１は、本発明のプレフィルドシリンジの未使用状態を示す斜視図、図２は、図１に示すプレフィルドシリンジの縦断面図、図３〜図７は、それぞれ、図１に示すプレフィルドシリンジの使用時における動作を示す縦断面図である。
【００２０】
なお、説明の都合上、図１中の上側を「先端」、下側を「基端」といい、図２〜図７中の上側を「基端」、下側を「先端」という。また、説明の都合上、図１中の上下方向をｚ軸方向、ｚ軸方向に対し垂直かつ水平な一方向（プレフィルドシリンジのフランジの長手方向）をｙ軸方向、ｚ軸方向およびｙ軸方向に対し垂直な方向をｘ軸方向という。
【００２１】
図２に示すように、本実施形態のプレフィルドシリンジ（以下単に「シリンジ」と言う）１は、シリンジ内部に予め薬剤が収納されたシリンジであって、外筒（シリンジ外筒）２と、外筒２内で摺動し得るガスケット３と、ガスケット３を移動操作する押し子（プランジャロッド）４とを備えている。ガスケット３は、押し子４の先端に連結されている。
【００２２】
外筒２は、有底筒状の部材で構成され、底部２１の中央部の先端側には、外筒２の胴部に対し縮径した縮径部２２が一体的に形成されている。この縮径部２２により、液体が吸入・吐出され得る（出入り可能な）口部が構成される。
【００２３】
縮径部２２の先端には、封止部材として、弾性材料で構成された膜２４が装着され、縮径部２２の内腔２３を気密的に封止している。
【００２４】
また、縮径部２２の外側には、キャップ２５が嵌合され、固定されている。このキャップ２５の先端には、開口２６が形成されており、この開口２６の縁部と縮径部２２の先端面との間で膜２４の外周部を挟持することにより、膜２４が気密（液密）的に固定される。
【００２５】
なお、縮径部２２と膜２４とキャップ２５とは、それぞれ、互いに接着剤による接着または融着がなされているのが好ましい。
【００２６】
膜２４は、後述する両頭針のような針体により刺通可能なものである。この場合、膜２４は、針体により刺通可能なものであれば、その形態は膜状に限らず、例えばブロック状のもの（栓体）であってもよい。
【００２７】
膜２４の構成材料としては、例えば、後述するガスケット３の構成材料として挙げたものを用いることができる。特に、水蒸気透過性が低い材料で構成されているのが好ましい。
【００２８】
なお、キャップ２５は、後述するホルダー７と接続して使用されるもので、ホルダー７との接続部としても機能する。
【００２９】
外筒２の基端外周には、長尺状のフランジ２７が一体的に形成されている。押し子４を外筒２に対し相対的に移動操作する際などには、このフランジ２７に指を掛けて操作を行うことができる。
【００３０】
外筒２の構成材料としては、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であり、かつ水蒸気透過性が低い点で、ポリプロピレン、環状ポリオレフィン、ポリエステルのような樹脂が好ましい。なお、外筒２の構成材料は、内部の視認性を確保するために、実質的に透明であるのが好ましい。
【００３１】
このような外筒２内には、弾性材料で構成されたガスケット３が収納されている。ガスケット３の外周部には、複数のリング状の突部３１、３２が全周にわたって形成されている。この突部３１、３２が外筒２の内周面２０に対し密着しつつ摺動することで、気密性（液密性）をより確実に保持するとともに、摺動性の向上が図れる。
【００３２】
本実施形態では、ガスケット３の長手方向に沿って２つの突部３１、３２が形成されている。すなわち、ガスケット３の基端部と先端部のそれぞれに、突部３１、３２が形成されている。このうち、ガスケット先端側の突部３２の基端側は、先端に向かって外径が漸増するようなテーパ面を有しているのが好ましい。
【００３３】
なお、本発明では、突部３１、３２の形成位置や個数、断面形状等は、これに限定されるものではない。
【００３４】
また、ガスケット３には、その基端面３６に開放する中空部３３が形成されている。この中空部３３は、後述する押し子４のヘッド部が挿入（螺入）される。中空部３３の内面には、雌ネジ３４が形成されている。
【００３５】
ガスケット３の構成材料としては、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００３６】
なお、ガスケット３は、その少なくとも外周部が前述のような弾性材料で構成されていれば良く、例えば、樹脂材料で構成された芯部（図示せず）を有し、この芯部の外周を覆うように弾性材料が配置された構成のものでもよい。この場合には、芯部に、雌ネジ３４が形成されることとなる。
【００３７】
また、ガスケット３の色は、黒色であるのが好ましい。これにより、外筒２を介してガスケット３を視認するのが容易となる、すなわち、ガスケット３の視認性が向上し、よって、外筒２に対するガスケット３の移動量を確実に確認（把握）することができる。
【００３８】
このようなガスケット３には、ガスケット３を外筒２内で長手方向に移動操作する押し子４が連結（装着）されている。
【００３９】
押し子４は、棒状の本体部４０を有しており、該本体部４０の基端には、フランジ状（板状）の指当て部４５が形成されている。この指当て部４５を指等で押圧することにより押し子４を先端方向へ移動操作する。また、本体部４０の横断面形状は、十字状をなしている。
【００４０】
本体部４０の先端側には、ガスケット３の中空部３３内に挿入され、ガスケット３と連結されるヘッド部（連結部）４３が形成されている。
【００４１】
ヘッド部４３の外周には、中空部３３の内面の雌ネジ３４と螺合し得る雄ネジ４４が形成されている。この雄ネジ４４を雌ネジ３４と螺合することにより、ガスケットと押し子４とが連結される（図２参照）。
【００４２】
押し子４の構成材料としては、例えば、ポリ塩化ビニル、ポリエチレン、ポリプロピレン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であり、かつ気体不透過性（ガスバリア性）を有する点で、アクリル樹脂、ポリエステル、ポリ−（４−メチルペンテン−１）のような樹脂が好ましい。
【００４３】
このように、ガスケット３と押し子４との連結が螺合構造（遊びがない機構の一例）によりなされているため、これらの連結を確実に行なうことができ、押し子４の操作に伴いガスケット３と押し子４とが離脱することもなく、また、ガスケット３に対する押し子４の着脱操作も容易に行なうことができる。
【００４４】
なお、本発明において、ガスケット３と押し子４との連結構造は、螺合以外のもの、例えば、接着、融着等の固着、嵌合等の遊びがない機構であってもよい。
【００４５】
また、図示しないが、外筒２の基端側に、ガスケット３が外筒２から抜けるのを防止するストッパを設けてもよい。
【００４６】
図２に示すように、シリンジ１の使用前の状態（未使用状態）では、ガスケット３は、外筒２の長手方向の途中に位置している。これにより、ガスケット３の先端側には、外筒２とガスケット３とで囲まれる第１の空間（空間）９１が形成される。
【００４７】
本実施形態のシリンジ１では、第１の空間９１内に、予め薬剤６が収納されている（図２参照）。
【００４８】
薬剤６としては、液体でも固体でもよいが、固体が好ましく、特に、粉末（顆粒）状の固体が好ましい。薬剤６が粉末状のものであることにより、縮径部２２から吸入される液体に薬剤６を容易に溶解することができる。なお、粉末状のものは、例えば凍結乾燥物によるものが挙げられる。また、このような粉末状のものは、例えばタブレット状に固化されていてもよい。
【００４９】
このような薬剤６の具体例としては、ビタミン剤（総合ビタミン剤）、各種アミノ酸、ヘパリンのような抗血栓剤、インシュリン、抗生物質、抗腫瘍剤、鎮痛剤、強心剤、静注麻酔剤、抗パーキンソン剤、潰瘍治療剤、副腎皮質ホルモン剤、不整脈用剤、補正電解質等が挙げられる。なお、本発明では、これらに限定されないことは言うまでもない。
【００５０】
さて、図１および図２に示すように、外筒２の外周面２９には、その周方向の異なる位置に、２つの目盛りが設けられている。一方の目盛りは、吸入量用目盛り（以下単に「吸入目盛り」と言う）１０１であり、他方の目盛りは、吐出量用目盛り（以下単に「吐出目盛り」と言う）１０２である。なお、各目盛りの単位は、特に限定されないが、例えば、「ｍＬ」であるのが好ましい。
【００５１】
吸入目盛り１０１は、縮径部２２から吸入された液体の吸入量を示す目盛りである。吸入目盛り１０１は、その基準となる目盛り、すなわち、「０（零）」を示す目盛り（以下、「［０］目盛り」という）が外筒２の長手方向の途中に設けられ、順次、他の値（本実施形態では、「１」〜「６」）を示す目盛りが基端方向に向って設けられて（振られて）いる。
【００５２】
吐出目盛り１０２は、縮径部２２から吐出された液体の吐出量を示す目盛りである。吐出目盛り１０２は、ガスケット３の先端面３５と外筒２の底部２１とが接触する位置が基準となる（「０」となる）ように、順次、目盛りが基端方向に向って設けられている。
【００５３】
また、図１に示すように、シリンジ１では、外筒２に対して吸入目盛り１０１が形成されている方向（向いている方向）と、外筒２に対して吐出目盛り１０２が形成されている方向とのなす角度（図１中のθで示す角度）が、ほぼ直角をなしている。これにより、吸入目盛り１０１および吐出目盛り１０２を、それぞれ、シリンジ１の使用者に対して確実に向けることができる。また、吸入目盛り１０１を確認しつつ液体を吸入した後、シリンジ１をその中心軸回りにほぼ９０度回転させれば、吐出目盛り１０２を迅速に視認することができる。
【００５４】
また、図１に示すように、角度θが９０度のとき、吸入目盛り１０１がｙ軸方向（フランジ２７の長手方向）に面するように設けられ、吐出目盛り１０２がｘ軸方向に面するように設けられているのが好ましい。これにより、シリンジ１を吸入・吐出操作したとき、各操作に必要な目盛りを容易に視認することができ、よって、液体の吸入・吐出量を正確に把握することができる。
【００５５】
また、前述したように、ガスケット３は、その色が黒色である。吐出目盛り１０２の色は、例えば、ガスケット３と同色、すなわち、黒色であるのが好ましい。
【００５６】
吸入目盛り１０１の色は、吐出目盛り１０２（ガスケット３）と異なる色、例えば、赤色であるのが好ましい。
【００５７】
このように、吸入目盛り１０１と吐出目盛り１０２とが互いに異なる色で着色されていることにより、各目盛りを確実に識別することができる。
【００５８】
また、前述したように、未使用状態のシリンジ１では、ガスケット３が外筒２の長手方向の途中に位置している。図２に示すように、この位置は、ガスケット３の基端面３６（基端）が吸入目盛り１０１の［０］目盛りと一致する位置である。
【００５９】
これにより、ガスケット３の移動量、すなわち、液体の吸入量を正確に把握することができる。換言すれば、誤った量の液体を吸入するのをより確実に防止することができる。
【００６０】
次に、図３〜図７に基づき、シリンジ１の使用方法の一例について説明する。以下に説明する方法は、シリンジ１に両頭針付ホルダーを接続し、輸液容器から輸液を４．５ｍＬ吸入して、その後、輸液容器に薬液を混注する場合の例である。
【００６１】
図３に示すように、シリンジ１に接続されるホルダー７は、有底筒状のホルダー本体７１と、両端にそれぞれ鋭利な針先７３、７４を有する両頭針（針管）７２と、両頭針７２を支持するハブ（支持部材）７５とで構成されている。両頭針７２は、ハブ７５に固着されており、ハブ７５は、螺合によりホルダー本体７１の底部中心部に装着されている。
【００６２】
輸液容器８は、ボトル（瓶）状またはバッグ状をなすものであり、内部に輸液８２が液密に収納されている。輸液容器８の口部には、弾性材料で構成された栓体８１が装着されている。この栓体８１により、輸液容器８は液密に封止されている。
【００６３】
栓体８１は、両頭針７２、その他瓶針等による針管により刺通可能であり、針管を抜くと、自己閉塞性により刺通孔が閉じ、液密性を確保する。
【００６４】
［１］  以上のようなホルダー７と輸液容器８を用意し、まず、輸液容器８の栓体８１にホルダー７の針先７４を刺通する（図３参照）。
次に、ホルダー７のホルダー本体７１をシリンジ１のキャップ２５に嵌合する（被せる）。これにより、針先７３が膜２４を刺通し、縮径部２２の内腔２３に侵入する（図３参照）。この状態で、シリンジ１の第１の空間９１と、輸液容器８の内部空間とが、両頭針７２を介して連通する。
【００６５】
［２］  シリンジ１の第１の空間９１と輸液容器８の内部空間とが連通し、押し子４を引くことにより、輸液容器８内の輸液が両頭針７２を介して第１の空間９１内に吸引され、導入される（図３中の矢印参照）。
【００６６】
［３］  吸入目盛り１０１の「４．５」を示す目盛りにガスケット３の基端面３６が位置したら、すなわち、必要量の輸液８２が吸入されたら、ガスケット３の移動を停止させる。その後、シリンジ１に揺動または振動を与え、第１の空間９１に導入された輸液８２に薬剤６を溶解または分散させ、薬剤６の有効成分を含む薬液６１とする（図５参照）。なお、薬液６１としては、薬剤６の溶解液、懸濁液（乳濁液）等が挙げられる。
【００６７】
また、必要に応じ、シリンジ１をホルダー７から一旦取り外し（キャップ２５とホルダー本体７１との嵌合を解除し）てから、シリンジ１に揺動または振動を与える操作を行ってもよい。
【００６８】
［４］  押し子４の指当て部４５に指を当て、押し子４を先端方向に押圧する。これにより、第１の空間９１内の薬液６１が両頭針７２を通って排出され、輸液容器８の輸液８２に配合される（図６参照）。
【００６９】
この押し子４の押圧移動は、ガスケット３の先端面３５が外筒２の底部２１に接触（または接近）するまで行われる（図７参照）。これにより、薬液６１のシリンジ１内での残液量をできるだけ少なくし、薬液６１を無駄なく配合することができる。
【００７０】
［５］  輸液容器８内にさらに成分の異なる薬剤を配合する場合には、両頭針７２の針先７４を栓体８１に刺通したままで、シリンジ１をホルダー７から取り外し、新たに配合しようとする薬剤が入った同様のシリンジ１を前記［１］と同様にしてホルダー７にセットし、以下前記［２］〜［４］と同様の操作を行う。このように、成分の異なる複数種の薬剤を配合する場合、それぞれの薬剤が収納されている複数のシリンジ１を用意し、これらを適宜交換して用いればよいため、その操作が極めて簡単であり、配合に要する時間も短い。そして、配合の順序も、任意に選択することができる。さらに、このような薬剤の配合では、外気と接触する機会が極めて少なく、細菌汚染や異物混入のおそれもない。
【００７１】
前記［１］〜［３］の操作でわかるように、本発明のシリンジ１では、吸入目盛り１０１が形成されていることにより、輸液８２（液体）の吸入量を確実に把握することができ、よって、誤った量の輸液８２を吸入するのを確実に防止することができる。
【００７２】
また、正確な吸入量の輸液８２を吸入することができるため、薬剤６を正確な濃度で溶解することができる。また、これにより、薬剤６の濃度を適宜設定（調整）することができる。
【００７３】
また、前記［３］の操作のガスケット３の基端面３６は、吸入目盛り１０１の「４．５」を示す目盛りに位置するのに限定されず、例えば、外筒２のフランジ２７の基端面と同等の位置にあってもよい。これにより、最大量の輸液８２を吸入することができる。
【００７４】
また、前記［４］の操作の押し子４の押圧移動は、ガスケット３の先端面３５が外筒２の底部２１に接触（または接近）するまで行われるのに限定されず、必要量の薬液６１を吐出した位置（例えば、ガスケット３の先端と吐出目盛り１０２の「４」を示す目盛りとが一致する位置）で停止してもよい。
【００７５】
以上、本発明のプレフィルドシリンジを図示の実施形態について説明したが、本発明は、これに限定されるものではなく、プレフィルドシリンジを構成する各部は、同様の機能を発揮し得る任意の構成のものと置換することができる。また、任意の構成物が付加されていてもよい。
【００７６】
また、角度θは、９０度であるのに限定されず、例えば、３０度、４５度、６０度、１２０度、１３５度、１５０度、１８０度等であってもよい。
【００７７】
また、吸入量用目盛りの方がプレフィルドシリンジのフランジの長手方向に面しているのに限定されず、吐出量用目盛りの方がプレフィルドシリンジのフランジの長手方向に面していてもよい。
【００７８】
また、ガスケットは、その色が黒色であるのに限定されず、例えば、白色、グレー、青色、緑色、茶色等であってもよい。
【００７９】
また、吐出量用目盛りの方がガスケットと同色であるのに限定されず、吸入量用目盛りの方がガスケットと同色であってもよい。
【００８０】
また、吐出量用目盛りは、ガスケットと同色であるのに限定されず、ガスケットと異なる色であってもよい。
【００８１】
また、吐出量用目盛りの色が黒色であり、吸入量用目盛りの色が赤色であるのに限定されず、両目盛りは、互いに異なる色であればよく、いかなる色（例えば、青色、茶色、緑色、橙色等）であってもよい。
【００８２】
また、吐出量用目盛りおよび吸入量用目盛りの大きさは、それぞれ、各図に示すような大きさに限定されないことは言うまでもない。
【００８３】
また、吐出量用目盛りおよび吸入量用目盛りの書体（フォント）は、それぞれ、各図に示すような書体に限定されないことは言うまでもない。
【００８４】
また、未使用状態のプレフィルドシリンジでは、ガスケットの基端が吸入量用目盛りの［０］目盛りに位置しているのに限定されず、例えば、ガスケットの先端側の突部が［０］目盛りに位置していてもよいし、ガスケットの基端側の突部が［０］目盛りに位置していてもよい。
【図面の簡単な説明】
【００８５】
【図１】本発明のプレフィルドシリンジの未使用状態を示す斜視図である。
【図２】図１に示すプレフィルドシリンジの縦断面図である。
【図３】図１に示すプレフィルドシリンジの使用時における動作を示す縦断面図である。
【図４】図１に示すプレフィルドシリンジの使用時における動作を示す縦断面図である。
【図５】図１に示すプレフィルドシリンジの使用時における動作を示す縦断面図である。
【図６】図１に示すプレフィルドシリンジの使用時における動作を示す縦断面図である。
【図７】図１に示すプレフィルドシリンジの使用時における動作を示す縦断面図である。
【符号の説明】
【００８６】
１            シリンジ（プレフィルドシリンジ）
２            外筒
２０          内周面
２１          底部
２２          縮径部
２３          内腔
２４          膜
２５          キャップ
２６          開口
２７          フランジ
２９          外周面
３            ガスケット
３１          突部
３２          突部
３３          中空部
３４          雌ネジ
３５          先端面
３６          基端面
４            押し子
４０          本体部
４３          ヘッド部
４４          雄ネジ
４５          指当て部
６            薬剤
６１          薬液
７            ホルダー
７１          ホルダー本体
７２          両頭針
７３          針先
７４          針先
７５          ハブ
８            輸液容器
８１          栓体
８２          輸液
９１          第１の空間
１０１        吸入目盛り（吸入量用目盛り）
１０２        吐出目盛り（吐出量用目盛り）
【図１】
2006025874.tif 000003
【図２】
2006025874.tif 000004
【図３】
2006025874.tif 000005
【図４】
2006025874.tif 000006
【図５】
2006025874.tif 000007
【図６】
2006025874.tif 000008
【図７】
2006025874.tif 000009